(57)【要約】細胞診用に採取された子宮頸部細胞群から、腺癌細胞の有無を判定できる診断薬、特に扁平上皮癌細胞と区別して腺癌を特異的に検出できる診断薬又は診断薬キット、及び腺癌細胞の検出方法を提供する。子宮頸部細胞群のうち腺癌細胞に最も多く含まれるサイトケラチン８をサイトケラチン８抗体又はこの二次抗体を用いて腺癌細胞を検出する。ＨＩＫ１０８３抗体を併用することにより、検出感度を上げることができる。対象とする検体は、子宮頸部組織であってもよいし、個々に分散された細胞群であってもよい。【特許請求の範囲】
【請求項１】
子宮頸部細胞群の検体から腺癌の有無を診断するための試薬であって、サイトケラチン８抗体を含有する診断薬。
【請求項２】
さらにＨＩＫ１０８３抗体を含有する請求項１に記載の診断薬。
【請求項３】
サイトケラチン８抗体を含有する第１試薬、及び
サイトケラチン８抗体に結合可能で且つ標識されている２次抗体を含有する第２試薬を含む子宮腺癌の試薬キット。
【請求項４】
子宮頸部細胞群の検体から腺癌細胞を検出する方法であって、
前記細胞群とサイトケラチン８抗体とを反応させる工程を含む検出方法。
【請求項５】
子宮頸部細胞群の検体から腺癌細胞を検出する方法であって、
前記細胞群とサイトケラチン８抗体を含む試薬とを反応させる工程；
未反応液を除去して、細胞群を回収する工程；及び
回収された細胞群から、前記サイトケラチン８抗体と腺癌細胞の複合体を検出する工程
を含む腺癌細胞の検出方法。
【請求項６】
前記検体は、子宮頸部組織又は個々に分散された細胞群である請求項４に記載の検出方法。
【請求項７】
前記検体は、子宮頸部組織又は個々に分散された細胞群である請求項５に記載の検出方法。
【請求項８】
扁平上皮癌細胞と腺癌細胞を含む子宮頸部細胞群の検体から、腺癌細胞を分別する方法であって、
前記細胞群と標識されたサイトケラチン８抗体とを反応させる工程；及び
前記サイトケラチン８抗体と腺癌細胞の複合体を検出する工程
を含む分別方法。
【発明の詳細な説明】
【技術分野】
【０００１】  本発明は、子宮頸部の細胞群から腺癌細胞の有無を特異的に検出する腺癌診断薬及び腺癌細胞の検出方法に関する。
【背景技術】
【０００２】  子宮頸部癌は、扁平上皮癌と腺癌に分類され、子宮頸部癌の９５％は扁平上皮癌であると言われているが、近年腺癌の比率が増加しつつある。腺癌は比較的若年者層に多発し、予後が悪いため臨床上問題となっている（Ｌｅａ  ＪＳ，Ｓｈｅｅｔｓ  ＥＥ，Ｗｅｎｈａｍ  ＲＭ，Ｄｕｓｋａ  ＬＲ，Ｃｏｌｅｍａｎ  ＲＬ，Ｍｉｌｌｅｒ  ＤＳ，Ｓｃｈｏｒｇｅ  ＪＯ．Ｇｙｎｅｃｏｌ  Ｏｎｃｏｌ．２００２；８４（１）：１１５−１１９．）。【０００３】  一般的な細胞診、すなわちパパニコロウ染色で細胞を染色し、その形態から悪性度を判定する方法では、腺癌細胞が正常と悪性細胞の形態が類似しているため、腺癌を見つけ出すことは困難である（Ｃｈａｎｎｇ  ＷＣ，Ｍａｔｉｓｉｃ  ＪＰ，Ｚｈｏｕ  Ｃ，Ｔｈｏｍｓｏｎ  Ｔ，Ｃｌｅｍｅｎｔ  ＰＢ，Ｈａｙｅｓ  ＭＭ．Ｃａｎｃｅｒ．１９９９；８７（１）：５−１１．）（Ｇａｌｌｕｐ  ＤＧ，Ｈａｒｐｅｒ  ＲＨ，Ｓｔｏｃｋ  ＲＪ．Ｇｙｎｅｃｏｌ．１９８５；６５（３）：４１６−４２２．）。このため、腺癌については見逃されやすく、細胞診では陰性と判定されたにもかかわらず、症状と局所所見から腺癌の可能性が高い場合が多い。【０００４】  病理組織診では、癌細胞による細胞配列での乱れなどを観察することができるため、細胞診より発見の度合いが高いが、生検の採取には痛みを伴うため、単なる健康診断レベルには適用できない。【０００５】  一方、細胞診であっても、癌細胞に特異的なマーカーが存在すればより適格な診断が可能となる。子宮癌に関する腫瘍マーカーとしては、従来よりＳＣＣ（ｓｑｕａｍｏｕｓ  ｃｅｌｌ  ｃａｒｃｉｎｏｍａ）がよく知られている。ＳＣＣは、扁平上皮癌組織より抽出されたＳＣＣ抗原であり、このＳＣＣ抗原に対するＳＣＣ抗体は、扁平上皮癌の検出に対して有効である。しかしながら、ＳＣＣ抗体は腺癌に対する陽性率は低く、また腺癌に対して特異的ではないため、扁平上皮癌と区別することはできない。また、早期癌に対する陽性率も高くないので、早期発見を主目的とする検診用診断薬としては、有効とは言い難い。【０００６】  この他、細胞内に存在する繊維状タンパクであるサイトケラチンをマーカーとして、このケラチンマーカーに直接結合できるサイトケラチン抗体を診断薬として利用することが提案されている（特許文献１）。【０００７】  例えば、非特許文献１には、サイトケラチン８抗体を用いて大腸癌を検出することが開示されている。また、特許文献２には、サイトケラチン１９と結合するモノクローナル抗体を用いる子宮癌検出試薬が開示されている。しかし、サイトケラチン１９は、腺癌細胞のみならず、扁平上皮癌とも反応するため、扁平上皮癌と腺癌の区別には用いることができない。【０００８】
【特許文献１】ＵＳＰ４７７５６２０
【特許文献２】ＵＳＰ５２８８６１４
【非特許文献１】Ｍａｋｉｎ  ＣＡ，Ｂｏｂｒｏｗ  ＬＧ，Ｂｏｄｍｅｒ  ＷＦ．Ｍｏｎｏｃｌｏｎａｌ  ａｎｔｉｂｏｄｙ  ｔｏ  ｃｙｔｏｋｅｒａｔｉｎ  ｆｏｒ  ｕｓｅ  ｉｎ  ｒｏｕｔｉｎｅ  ｈｉｓｔｏｐａｔｈｏｌｏｇｙ．Ｊ  Ｃｌｉｎ  Ｐａｔｈｏｌ．１９８４；３７（９）：９７５−９８３．
【発明の開示】
【発明が解決しようとする課題】
【０００９】  本発明は、以上のような事情に鑑みてなされたものであり、その目的は、細胞診用に採取された子宮頸部細胞群から、腺癌細胞の有無を判定できる診断薬、特に扁平上皮癌細胞と区別して腺癌を特異的に検出できる診断薬又は診断薬キット、及び腺癌細胞の検出方法を提供することにある。
【課題を解決するための手段】
【００１０】  本発明の腺癌診断薬は、子宮頸部細胞群の検体から腺癌の有無を診断するための試薬であって、サイトケラチン８抗体を含有する。さらにＨＩＫ１０８３抗体を含有してもよい。【００１１】  本発明の子宮腺癌の試薬キットは、サイトケラチン８抗体を含有する第１試薬、及びサイトケラチン８抗体に結合可能で且つ標識されている２次抗体を含有する第２試薬を含む。【００１２】  本発明の腺癌細胞の検出方法は、子宮頸部細胞群の検体から腺癌細胞を検出する方法であって、前記細胞群とサイトケラチン８抗体とを反応させる工程を含む。さらに、未反応液を除去して、細胞群を回収する工程；及び回収された細胞群から、前記サイトケラチン８抗体と腺癌細胞の複合体を検出する工程を含んでもよい。前記検体は、子宮頸部組織であってもよいし、個々に分散された細胞群であってもよい。【００１３】  本発明の分別方法は、扁平上皮癌細胞と腺癌細胞を含む子宮頸部細胞群の検体から、腺癌細胞を分別する方法であって、前記細胞群と標識されたサイトケラチン８抗体とを反応させる工程；及び前記サイトケラチン８抗体と腺癌細胞の複合体を検出する工程を含む。
【発明の効果】
【００１４】  本発明の診断薬及び診断薬キットは、腺癌細胞に特異的なマーカーであるサイトケラチン８と結合できるサイトケラチン８抗体を含有しているので、細胞形態的に類似している正常腺細胞と腺癌細胞を区別することができ、また扁平上皮癌細胞とも区別することができる。よって、本発明の診断薬又は診断薬キットを用いれば、組織診断はもちろん、個々の分散された細胞群からも腺癌細胞を特異的に検出することができる。
【図面の簡単な説明】
【００１５】
【図１】子宮頸部腺癌を有する組織検体の蛍光顕微鏡写真（２００倍）である。
【図２】子宮頸部腺癌を有する組織検体をヘマトキシリンエオジン染色した顕微鏡写真（２００倍）である。
【図３】正常子宮頸部扁平上皮組織の蛍光顕微鏡写真（２００倍）である。
【図４】正常子宮頸部腺組織の蛍光顕微鏡写真（２００倍）である。
【図５】子宮頸部腺癌細胞（ＨｅＬａ細胞）の蛍光顕微鏡写真（４００倍）である。
【図６】子宮頸部扁平上皮癌細胞（Ｃ３３Ａ細胞）の蛍光顕微鏡写真（４００倍）である。
【図７】口腔粘膜の扁平上皮細胞の蛍光顕微鏡写真（４００倍）である。
【発明を実施するための最良の形態】
【００１６】  本発明の子宮頸部腺癌診断薬は、サイトケラチン８抗体を含む。
サイトケラチンは細胞質内繊維状構造物の一つで、その中の中間径フィラメントを形成するタンパク質群に属する。サイトケラチン８は、腺癌細胞の他、扁平上皮癌細胞、正常な腺細胞、扁平上皮細胞にも含まれるが、その含有量は、腺癌細胞が圧倒的に多い。従って、サイトケラチン８抗体は、腺癌細胞に優先特異的に結合するので、正常細胞、扁平上皮癌細胞の中から、腺癌細胞を検出することができる。【００１７】  本発明に用いられるサイトケラチン８抗体は、サイトケラチン８と結合できる部位を有する抗体であればよく、Ｆｃフラグメントの構造、Ｆａｂの不変領域などは特に限定しない。例えば、ダコ・サイトメーション社から市販されている「抗ヒトサイトケラチン８、３５Ｈ１１マウスモノクローナル抗体」を使用することができる。【００１８】  本発明の腺癌診断薬には、サイトケラチン８抗体の溶媒として、生理食塩水、リン酸系緩衝液等が含有されることが好ましく、具体的には、リン酸緩衝化生理食塩水（ＰＢＳ）、界面活性剤入りＰＢＳ（例えばＰＢＳＴ）が好ましく用いられる。【００１９】  また、本発明の診断薬には、サイトケラチン８抗体の他、ＨＩＫ１０８３抗体を含有することができる。サイトケラチン８抗体のみを用いた場合でも子宮頸部腺癌を検出できるが、特に検体に粘液が大量に含まれている場合などには、サイトケラチン８抗体と反応しにくい場合がある。この点、ＨＩＫ１０８３抗体は、卵巣癌細胞及び子宮頸部腺癌細胞の産生する粘液（特殊なムチン）に対して特異的に反応する。よって、サイトケラチン８抗体とＨＩＫ１０８３抗体との併用により、子宮頸部腺癌をほぼ１００％近く検出することが可能となる。【００２０】  本発明の診断薬は、サイトケラチン８をマーカーとして腺癌細胞を検出するために、サイトケラチン８抗体自体を標識してもよいし、サイトケラチン８抗体を一次抗体とし、この一次抗体と結合する二次抗体を標識してもよい。この場合、本発明の試薬は、サイトケラチン８抗体を含有する第１試薬、及び標識された二次抗体を含有する第２試薬の組合わせからなる診断薬キットとなる。【００２１】  一次抗体（サイトケラチン８抗体）、二次抗体の標識としては、特に限定せず、蛍光物質、放射性物質、酵素など、従来より公知の標識化合物を用いることができる。【００２２】  本発明の診断薬又は診断薬キットは、サイトケラチン８抗体と腺癌細胞との反応の特異性を高めるために、予め検体の組織表面を、特異性のないタンパク質（例えば血清）で覆ってしまうことが好ましい。従って、本発明の診断薬又は診断薬キットは、サイトケラチン８抗体の標的となるタンパク質以外のタンパク質に対する非特異的反応をブロックするための試薬（ブロック試薬）と組合わせて用いることが好ましい。【００２３】  ブロック試薬としては、特異性のないタンパク質、すなわち血清、ＩｇＧ、ＢＳＡ、スキムミルクなどを用いることができ、適宜生理食塩水等で希釈したものであってもよい。【００２４】  次に、本発明の腺癌検出方法について説明する。
本発明の腺癌細胞の検出方法は、検体をサイトケラチン８抗体と反応する工程を含む。【００２５】  本発明の腺癌検出方法の対象となる検体は、子宮頸部細胞群であって、採取した組織であってもよいし、個々の細胞に分散させた細胞群であってもよい。
ここで、組織は粘液除去処理の必要はないが、分散された細胞群においては粘液除去処理を行うことが好ましい。【００２６】  粘液除去方法としては特に限定しないが、細胞の形態等に影響を与えることがないようにすることが好ましい。例えば、本発明者が提案しているシステイン系化合物を用いて粘液を除去する方法を適用してもよい。【００２７】ここで、システイン系化合物としては、メチルシステイン、アセチルシステイン、Ｌ−システインなどを用いることができ、システイン系化合物の溶媒として、水、生理食塩水、ＰＢＳ（リン酸緩衝化生理食塩水）、トリス等の緩衝液を用いることができる。システイン系化合物含有率は、５質量％以上が好ましく、より好ましくは１０〜２０質量％である。５質量％未満では粘液除去作用が不十分だからである。【００２８】  個々の細胞に分散する方法しては、細胞の形態を壊すことなく分散させることが好ましい。例えば、本発明者が提案している方法、アルデヒド化合物等で安定化した後、プロテアーゼで処理することが好ましい。【００２９】  アルデヒド化合物としては、パラホルムアルデヒド、ホルムアルデヒド、グルタルアルデヒド、またはこれらの混合物を用いることができ、アルデヒド化合物の溶媒としては、アルデヒド基と反応しない溶媒であればよいが、好ましくは蒸留水、イオン交換水、精製水等の水が用いられる。他の成分として、ピクリン酸を０．１〜０．４質量％程度含有することが好ましい。ピクリン酸は、アルデヒド化合物の組織浸透性を増強することができる。【００３０】  プロテアーゼとしては、トリプシン、プロナーゼ、ペプシン、エラスターゼ、コラゲナーゼなどが挙げられ、１種又は２種以上の組合わせを用いてもよい。
これらのうち、コラゲナーゼが好ましく用いられる。消化力が弱い酵素では、分散化に必要な時間を比較的広い範囲内で決めることができるため、検体個々人の差異による適切な消化時間の差異が問題にならずに済む。コラゲナーゼの種類は特に限定せず、細菌性、動物性のいずれであってもよく、また動物性コラゲナーゼについて、その基質特異性は特に限定しない。プロテアーゼの溶媒としては、プロテアーゼを変性させない溶媒であればよいが、好ましくは、蒸留水、イオン交換水、精製水等の水が用いられる。プロテアーゼの濃度は、酵素の種類に応じて適宜決定される。一般に、トリプシンのように消化力の高い酵素では、０．０５〜０．１質量％程度が好ましく、コラゲナーゼでは０．１〜１．０質量％程度が好ましい。【００３１】  検体をサイトケラチン８抗体と反応させるにあたり、前処理として、ブロック試薬で非特異的反応が生じ得る検体のタンパク質をブロックしておくことが好ましい。【００３２】  ブロック試薬としては、上記本発明の診断薬で挙げたような、血清、ＩｇＧ、ＢＳＡ、スキムミルク等を用いることができる。【００３３】  非特異的反応をブロックした検体を、サイトケラチン８抗体と反応させる。ここで、検体が組織の場合には、組織表面にサイトケラチン８抗体含有液と組織を接触させた状態で、３０分ほど、静置しておくだけでよい。【００３４】  検体が個々に分散された細胞群の場合には、サイトケラチン８抗体含有液と細胞群とが均一になるように混和することにより反応させる。
反応後、過剰な抗体含有液を除去する。【００３５】  サイトケラチン８抗体自体が標識付けられている場合には、未反応のサイトケラチン８抗体を除去した後、腺癌細胞とサイトケラチン８抗体の結合物を、サイトケラチン８抗体の標識に基づいて検出すればよい。【００３６】  一方、サイトケラチン８抗体が標識されていない場合、別途標識化合物と反応させる必要がある。サイトケラチン８抗体との結合部位を有し且つ標識化合物が結合された二次抗体と反応させ、標識に基づいてサイトケラチン８抗体と腺癌細胞の複合体を検出する。【００３７】  本発明で用いることができる標識化合物は、特に限定しないが、Ｃｙ３（Ａｍｅｒｓｈａｍ  Ｌｉｆｅ  Ｓｃｉｅｎｃｅ社の登録商標）等のシアニン系色素、フルオレセインイソチアシネート（ＦＩＴＣ）、ローダミン、量子ドットなどの蛍光物質；金粒子などの光散乱物質；フェライトなどの吸光物質；ヨード（１２５Ｉ）等の放射性物質；ペルオキシダーゼ、アルカリフォスファターゼ、ＤＡＢ（３，３’−ジアミノベンチジンテトラヒドロクロライド）、グルコースオキシダーゼ等の酵素などが挙げられる。【００３８】  標識化合物（二次抗体）を反応させた後、余分な標識液を除外し、標識に適した方法で観察する。例えば、蛍光標識であれば、蛍光を検出すればよい。
なお、各工程と工程の間で、適宜検体を洗浄することが好ましい。【００３９】  本発明の検出方法において、さらにＨＩＫ１０８３抗体と反応させる工程を含んでいてもよい。サイトケラチン８抗体は、細胞骨格に対する抗体であり、粘液を産生する一部の細胞とは反応しにくい。一方、ＨＩＫ１０８３抗体は、癌細胞から産生される粘液と特異的に反応する。よって、サイトケラチン８抗体とＨＩＫ１０８３抗体を併用することにより、癌細胞を１００％の効率で検出することが可能となる。また、サイトケラチン８抗体とＨＩＫ１０８３抗体との併用により、検体たる細胞や組織の粘液除去状況等にそれ程、影響されることなく、腺癌細胞を、高感度で検出することができる。【００４０】  ここで、ＨＩＫ１０８３抗体とサイトケラチン８抗体を併用する場合、サイトケラチン８抗体との反応工程と、ＨＩＫ１０８３抗体との反応工程の順番は、特に限定しない。ＨＩＫ１０８３抗体と反応させ、洗浄後、サイトケラチン８抗体と反応させてもよいし、まずサイトケラチン８抗体と反応させ、洗浄後、ＨＩＫ１０８３抗体と反応させてもよい。また、サイトケラチン８抗体とＨＩＫ１０８３抗体の双方を含有する試薬を用いて、これを検体と反応させてもよい。
【実施例】
【００４１】  〔サイトケラチン８抗体の特異性〕
（１）免疫組織化学での検定
ヒト子宮腺癌の生検サンプルで、ホルマリンで固定したパラフィン包埋薄切標本の脱パラフィン処理を行った後、１００％キシレン中に、室温で１０分間静置した。次いで１００％エタノール中に、室温で３０秒間静置した後、８０％エタノール、続いて７０％エタノール中で、それぞれ室温で３０秒間静置した。次に、蒸留水中に、室温で３０秒間静置した。【００４２】  １％ヤギ血清を含むＰＢＳＴ（０．０５％Ｔｗｅｅｎ２０を含有するＰＢＳ（リン酸緩衝生理食塩水）液）中で、室温で１０分間静置することにより、非特異的タンパク質をブロックした。
５μｇ／ｍｌのサイトケラチン８抗体含有液（溶媒は１％ヤギ血清を含むＰＢＳＴ）を、サンプル上に静置し、室温にて３０分間静置して、抗体反応をさせた。【００４３】  反応後、未反応の抗体反応液を吸引除去した後、ＰＢＳＴ中で、室温で５分間の振盪洗浄を３回繰り返した。【００４４】  蛍光色素Ａｌｅｘａ４８８（Ｍｏｌｅｃｕｌａｒ  Ｐｒｏｂｅｓ社の商品名）で標識されたヤギ由来の抗マウスＩｇＧのＦ（ａｂ）２フラグメント（溶媒は１％ヤギ血清を含むＰＢＳＴ）５μｇ／ｍｌを組織上に静置し、抗体反応をさせた。反応終了後、未反応の抗体含有液を吸引除去した後、ＰＢＳＴ中で、室温で５分間の振盪洗浄を３回行った。洗浄後、５０％マウンティングメディウムを含むＰＢＳＴを重層し、カバーグラスをかけて、蛍光顕微鏡で観察したところ、図１に示す写真をえた。【００４５】  参考のために、同生検サンプルをヘマトキシリンエオジンで染色した場合の写真を図２に示す。
図２からわかるように、異常部位（腺癌部分）では、核が大きくなっている。これと対応する図１において、異常部位には蛍光で染色されたことが確認された。従って、サイトケラチン８抗体は、正常な組織には反応せず、腺癌部分にだけ反応することがわかる。【００４６】  （２）正常扁平上皮組織及び正常腺組織とサイトケラチン８抗体での検定採取した生検サンプルで、正常扁平上皮組織及び正常腺組織について、上記と同様の操作を行った。
蛍光染色した正常扁平上皮組織の蛍光顕微鏡写真を図３に示す。
蛍光染色した正常腺組織の蛍光顕微鏡写真を図４に示す。【００４７】  （３）免疫細胞化学での検定
検体として、正常扁平上皮細胞である口腔粘膜扁平上皮細胞の培養細胞（ネガティブコントロール）、子宮頸部扁平上皮癌細胞由来の培養細胞系であるＣ３３Ａ、及び子宮頸部腺癌由来の培養細胞系であるＨｅＬａ細胞を用いた。【００４８】  各培養細胞サンプル液を１００％メタノールで固定した後、遠心分離（１００００ｒｐｍ、１分、４℃）にかけて、上清を除去して、細胞を回収した。
回収した細胞を、ＰＢＳおよびＰＢＳＴを各１ｍｌ添加し、洗浄する。再度遠心分離（１００００ｒｐｍ、１分、４℃）に掛け、上清を分離して、細胞を回収した。続けて、１％ヤギ血清を含むＰＢＳＴを１ｍｌ添加し、室温にて１０分間振盪混和して、細胞表面の非特異的タンパクのブロックを行った。ブロック後、遠心分離（１００００ｒｐｍ、１分、４℃）にかけて、余分なブロッキング液を除去した。【００４９】  次に、５μｇ／ｍｌのサイトケラチン８抗体含有液（溶媒は１％ヤギ血清を含むＰＢＳＴ）を添加し、室温にて３０分間振盪混和して、抗体反応をさせた。反応後、遠心分離（１００００ｒｐｍ、１分、４℃）にかけて、未反応の抗体液を除去した。
ＰＢＳＴを１ｍｌ添加して細胞を洗浄し、上清を除去して、細胞を回収した。【００５０】  蛍光色素Ａｌｅｘａ４８８で標識されたヤギ由来の抗マウスＩｇＧのＦ（ａｂ）２フラグメント含有液（溶媒は１％ヤギ血清を含むＰＢＳＴ）５μｇ／ｍｌを添加し、室温にて３０分間振盪混和して、抗体反応をさせた。反応後、遠心分離（１００００ｒｐｍ、１分、４℃）にかけ、上清を除去して細胞を回収した。【００５１】  ＰＢＳＴを１ｍｌ添加して細胞を洗浄し、遠心分離（１００００ｒｐｍ、１分、４℃）にかけ、上清を除去して、細胞を回収した。
５０％グリセロールを含むＰＢＳ液中に再懸濁して、蛍光顕微鏡で観察した。結果を図５〜７に示す。【００５２】  図６及び図７より、扁平上皮細胞にはサイトケラチン８抗体は反応しないことが認められた。一方、子宮頸部腺癌細胞に対しては、蛍光部分が観察され、サイトケラチン８抗体と腺癌細胞が反応することが確認できた（図５）。
【産業上の利用可能性】
【００５３】  本発明の腺癌診断薬は、子宮頸部細胞群の組織及び個々に分散した細胞群から、腺癌を特異的に検出できるので、子宮頸部腺癌、特に扁平上皮癌と腺癌とを区別したい診断薬、診断に利用できる。本発明の腺癌細胞検出方法は、子宮頸部細胞群の組織及び個々に分散した細胞群から、腺癌を特異的に検出したい場合に利用できる。
【図１】
2005043166.tif 000002
【図２】
2005043166.tif 000003
【図３】
2005043166.tif 000004
【図４】
2005043166.tif 000005
【図５】
2005043166.tif 000006
【図６】
2005043166.tif 000007
【図７】
2005043166.tif 000008
【国際調査報告】
2005043166.tif 000009
2005043166.tif 000010
2005043166.tif 000011
2005043166.tif 000012
2005043166.tif 000013
2005043166.tif 000014